(57)【要約】【課題】音楽用電子部品等を搭載した電子基板の取り付けを、ピアノの内部構造が変わっても容易に行うことができる装置を提供することを目的とする。【解決手段】バネ座３０は、基板１０をその上面に装着するピアノの鍵の並び方向に長い基板固定部材２０に装着され、基板固定部材２０の長手方向にスライド可能となる。更に、このバネ座３０でピアノ側の部材に締結することができるから、ピアノ側の縦方向部材間の間隔がどのようなものであっても対処することが可能となる。しかも、バネ３８の閉め付け方に応じて基板１０の高さを調整することも可能になる。【選択図】図１
2008249939.tif 000002
【特許請求の範囲】
【請求項１】
ピアノ用電子部品を搭載し当該ピアノの鍵の並び方向に長い電子基板を固定するための装置において、
前記電子基板を自身の上面に装着するピアノの鍵の並び方向に長い基板固定部材と、
この基板固定部材に装着されて当該基板固定部材の長手方向にスライド可能なスライド部材と、を備え、
前記スライド部材は、ピアノ側の部材と締結するように構成されたことを特徴とするピアノ用電子基板の取り付け装置。
【請求項２】
請求項１に記載の装置において、
前記基板固定部材の短手方向の両端に凹部を形成すると共に、前記スライド部材に、この凹部に嵌合して鍵の並び方向に摺動可能な凸部を設けたことを特徴とするピアノ用電子基板の取り付け装置。
【請求項３】
請求項１に記載の装置において、
前記基板固定部材の短手方向の両端に凸部を形成すると共に、前記スライド部材に、この凸に嵌合して鍵の並び方向に摺動可能な凹部を設けたことを特徴とするピアノ用電子基板の取り付け装置。
【請求項４】
請求項２または３に記載の装置において、
前記スライド部材は、ビス孔を有すると共にその下方の突起部にバネを固定したバネ座であることを特徴とするピアノ用電子基板の取り付け装置。
【発明の詳細な説明】
【技術分野】
【０００１】
本発明は、複数の鍵盤を備えた鍵盤楽器であるピアノに用いるための電子基板の取り付け機構に関する。
【背景技術】
【０００２】
複数の鍵盤から成る鍵盤部を備えたピアノは、ユーザーが押離鍵操作を行うことによって楽音信号が出力される構成となっている。そして、ユーザーの押離鍵操作に際して押鍵速度や鍵変位量を求め、これを楽音出力に反映させるための装置は従来から様々なものがあった。例えば、各鍵に対してフォトリフレクタを設け、鍵に対する反射光の受光量に応じて検出される検出電圧を求め、予め設定した近似式にこの求めた検出電圧を代入して、鍵変位量を求める鍵変位量検出装置が提案されていた（例えば、特許文献１参照）。
【０００３】
【特許文献１】特許第２７２７７１９号公報（第２−３頁、第６図）
【発明の開示】
【発明が解決しようとする課題】
【０００４】
しかしながら、上述したような押鍵速度検出装置や鍵変位量検出装置にあっては、電子部品等を搭載した電子基板の取り付け構造については特別の配慮がなされていなかった。そのため従来から次のような問題があった。それを図４を参照して説明する。図４はグランドピアノの内部構造を上から見て模式的に描いた平面図であり、図中のＸＹ方向は不図示の鍵の配列方向である。図４に示すように、グランドピアノの内部には、横方向部材２００ａ、２００ｂが適宜の間隔を設けて配設されている。また、これら横方向部材２００ａ、２００ｂの延在方向と直角な方向に４本（４本に限られない）の縦方向部材２１０ａ、２１０ｂ、２１０ｃ、２１０ｄの夫々が適宜の間隔で配設されている。そして、点線で示す基板２５０を固定するためには、縦方向部材２１０ａ、２１０ｂ、２１０ｃ、２１０ｄの夫々に対応する位置の基板２５０側にビス孔を設け、ビス止めによって基板２５０を縦方向部材２１０ａ〜２１０ｄに固定していた。ところが、縦方向部材２１０ａ〜２１０ｄの設置間隔は、メーカーやモデルによって異なるため、各種のピアノに基板２５０を取り付けるためには、その構造に合うように基板と基板固定部材にビス孔を設ける必要があった。そのためビス孔の分だけ基板や基板固定部材の幅を広くする必要が生じてコスト高になったり、ピアノ側にもビス孔に合う場所に取り付け部を設けるなど、基板を取り付けるための工数増大を招くものだった。
【０００５】
本発明は、かかる従来の課題を解決するためになされたもので、音楽用電子部品等を搭載した電子基板の取り付けを、ピアノの内部構造が変わっても容易に行うことを可能とする装置を提供することを目的とする。
【課題を解決するための手段】
【０００６】
上記目的を達成するために、本発明は、ピアノ用電子部品を搭載し当該ピアノの鍵の並び方向に長い電子基板を固定するための装置において、
前記電子基板を自身の上面に装着するピアノの鍵の並び方向に長い基板固定部材と、
この基板固定部材に装着されて当該基板固定部材の長手方向にスライド可能なスライド部材と、を備え、
前記スライド部材は、ピアノ側の部材と締結するように構成されたことを特徴とするようにした。
【０００７】
本発明によれば、スライド部材は、電子基板を自身の上面に装着するピアノの鍵の並び方向に長い基板固定部材に装着され、当該基板固定部材の長手方向にスライドできるようになり、更に、このスライド部材でピアノ側の部材と締結することができるから、ピアノ側の縦方向部材間の間隔がどのようなものであっても対処することが可能となる。
【０００８】
上記装置において、前記基板固定部材の短手方向の両端に凹部を形成すると共に、前記スライド部材に、この凹部に嵌合して鍵の並び方向に摺動可能な凸部を設けて簡易な構成で本装置を実現することが可能である。なお、基板固定部材とスライド部材の凸部を逆に構成することも可能である。すなわち、基板固定部材の短手方向の両端に凸部を形成すると共に、前記スライド部材に、この凸部に嵌合して鍵の並び方向に摺動可能な凹部を設けることによっても実現することもできる。特に、前記スライド部材を、ビス孔を有すると共にその下方の突起部にバネを固定したバネ座とすることで一層簡易な構成となり、バネの閉め付け量に応じて電子基板の高さを調整することが可能になる。
【発明の効果】
【０００９】
本発明によれば、音楽用電子部品等を搭載した電子基板の取り付けを、ピアノの内部構造が変わっても容易に行うことができるという効果が得られる。また、基板と基板固定部材にはビス用の孔を必要としないことから、これらの部品の幅寸法を最小限とすることが可能となり、コストダウンの効果も期待できる。
【発明を実施するための最良の形態】
【００１０】
以下、本発明を実施するための最良の形態を図面を参照しつつ説明する。
【００１１】
（構成）
図１は本発明の実施の形態であるピアノ用電子基板の取り付け装置１の側面図（装置１長手方向の端部の図）である。この側面図は、図示しない複数の鍵の並ぶ方向と垂直な方向の端部を見た図であり、図１（ａ）はバネ座３０を装着していない時、図１（ｂ）はバネ座３０を装着した時である。図２はバネ座３０の構成図である。図３（ａ）は、図１と同じ方向から見た図であり、図３（ｂ）は、図３（ａ）を符号Ｚ方向から見た図である。なお、図１は本装置１の構造の理解を図るために基板１０を斜線でハッチングしたが、この斜線は切断面を意味するものではない。
【００１２】
図１に示すように、電子基板１０の上面には電子部品１２が搭載され、この基板１０は、基板固定部材２０に対してビス１１によって固定されている。そして、図１における電子基板１０の左右方向端部（装置１の長手方向端部）には、略コの字型の凹部２２が１対形成されている。この凹部２２には、バネ座３０の凸部３２が嵌合し、バネ座３０全体を基板固定部材２０の長手方向に対して摺動可能に構成されている。また、図６は、基板固定部材２０側の凹部とスライド部材（後述のバネ座３０）の凸部３２とを逆に、構成することも可能であることを示す図面である。図６（ａ）は基板固定部材２０側に凹部２２を設け、スライド部材に凸部３２を設けた構成である。一方、図６（ｂ）は基板固定部材２０側に凸部３２を設け、スライド部材に凹部２２を設けた構成例である。このように凹部２２はスライド部材側に設けても良いし基板固定部材２０側に設けても良い。この結果、凸部３２は、スライド部材側に設けることも、また、基板固定部材１０側に設けることも可能になる。
【００１３】
図３に示すように、バネ座３０は、外観視その一つの面が平坦で残りが略半円状の筒型を呈しており、この平坦な一つの面に凸部３２を備えている。また、バネ座本体部３４を上下方向に貫通する孔３６を設けると共に、突起部３８にバネを装着してビス止め可能に構成されている。また、バネ座３０の下方に突起する突起部３８にも孔３６が貫通されている。この構成ではバネ２８を装着したので、ビス止め量を調節して基板１１０の高さを調整することも可能になる。
【００１４】
また、図５は電子部品１２の構成例を示している。ＣＰＵ１１００は、ＲＯＭ１１１０に記録されているプログラムにしたがった処理をＲＡＭ１１２０を用いながら実行可能に構成されている。そして、押鍵量検出部１０００が検出した検出量をＣＰＵ１１００が受け取って音源１２００を所要の制御態様で駆動制御する構成となっている。なお、図５は電子部品１２の一例を示したもので電子部品１２の構成は図５の例に限られない。
【００１５】
（作用）
図１に示すように、基板固定部材２０の長手方向の端部から、バネ座３０を基板固定部材２０に装着する。この際、基板固定部材２０の凹部２２と、バネ座３０の凸部３２とが嵌り合うようにバネ座本体部３４を基板固定部材２０に装着する。この結果、バネ座３０は、基板固定部材２０の長手方向においてスライド可能となる。図３はこの様子を模式的に示した図面であり、基板固定部材２０の長手方向（図示するＬ、Ｒ方向）にバネ座３０がスライド可能となる様子を示している。そして、所望の位置で、ビス２５を用いてバネ座３０を、不図示のピアノ側の部材に固定する。
【００１６】
したがって、バネ座３０は、電子基板１０を、ピアノの鍵の並び方向に長い基板固定部材２０に装着されて、基板固定部材２０の長手方向にスライド可能とされ、更に、このバネ座３０でピアノ側の部材に締結することができるから、ピアノ側の縦方向部材間の間隔がどのようになっていても対処することが可能となる。しかも、バネ３８の閉め付け方に応じて基板１０の高さを調整することも可能になる。
【産業上の利用可能性】
【００１７】
以上説明してきたように、本発明はピアノに適用して好適な装置を提供することができる。
【図面の簡単な説明】
【００１８】
【図１】本装置の構成の説明図である。
【図２】バネ座３０の構成図である。
【図３】作用の説明図である。
【図４】ピアノの内部構造の説明図である。
【図５】電子部品１２の構成図である。
【図６】凹部２２と凸部３２の形成状態の説明図である。
【符号の説明】
【００１９】
１  ピアノ用電子基板の取り付け装置  
１０  電子基板
１２  電子部品
２０  基板固定部材
２２  凹部
２５  ビス
２８  バネ
３０  バネ座
３２  凸部
３４  バネ座本体部
３８  突起部
３６  孔
【図１】
2008249939.tif 000003
【図２】
2008249939.tif 000004
【図３】
2008249939.tif 000005
【図４】
2008249939.tif 000006
【図５】
2008249939.tif 000007
【図６】
2008249939.tif 000008